(57)【要約】【課題】電子辞書等の情報表示装置において、見出語の説明情報についてのさらなる説明情報を容易且つ適切に表示させることが可能な情報表示装置を提供する。【解決手段】ＣＰＵ１０は、検索指示の入力に応じて、指定された辞書ＤＢに記憶される見出語から指定された検索語と一致する見出語を検索して、対応する説明情報を表示部３０に表示させる。また、ＣＰＵ１０は、ジャンプ実行指示に応じて、表示されている説明情報の文字列から各辞書ＤＢに記憶されている見出語の何れかと一致する文字列を抽出し、抽出した一致文字列をジャンプ可能な辞書種別毎に異なる表示形態で表示させる。【選択図】  図２
2004213322.tif 000002
【特許請求の範囲】
【請求項１】
見出語と当該見出語の説明情報とを対応付けて記憶している情報記憶手段と、
見出語を指定する見出語指定手段と、
この見出語指定手段により指定された見出語に対応する説明情報を前記情報記憶手段に記憶された説明情報の中から検索する検索手段と、
この検索手段により検索された説明情報に含まれる文字列の一部と一致する一致文字列を前記情報記憶手段から抽出する文字列抽出手段と、
▲１▼この文字列抽出手段により抽出された一致文字列の表示形態を変更して表示させるか、又は▲２▼当該一致文字列に対応する位置に所定の識別子を表示させて、前記検索手段により検索された説明情報を表示制御する表示制御手段と、
を備えることを特徴とする情報表示制御装置。
【請求項２】
前記情報記憶手段は、見出語と当該見出語の説明情報とを対応付けて記憶している異なる複数の情報記憶手段を有し、
前記文字列抽出手段は、前記複数の情報記憶手段毎に、前記検索手段により検索された説明情報に含まれる文字列の一部と一致する一致文字列を前記情報記憶手段から抽出する抽出手段を有し、
前記表示制御手段は、▲１▼前記抽出手段により抽出された一致文字列を、前記複数の情報記憶手段毎に異なる表示形態で表示させるか、又は▲２▼当該一致文字列に対応する位置に所定の識別子を表示させて、前記検索手段により検索された説明情報を表示制御する複数情報表示制御手段を有することを特徴とする請求項１に記載の情報表示制御装置。
【請求項３】
見出語と当該見出語の説明情報とを対応付けて記憶している異なる複数の情報記憶手段を備えた情報表示制御装置において、
前記説明情報は、前記複数の情報記憶手段に記憶された見出語の何れかと一致する文字列を含む場合、当該文字列に関連付けた見出語有り情報を有して構成されており、
前記複数の情報記憶手段の内の何れかの情報記憶手段を指定する指定手段と、
見出語を指定する見出語指定手段と、
この見出語指定手段により指定された見出語に対応する説明情報を前記指定手段によって指定された情報記憶手段に記憶された説明情報の中から検索する検索手段と、
この検索手段により検索された説明情報に対応する見出語有り情報に基づいて、▲１▼当該見出語有り情報に関連づけられている文字列を異なる表示形態で表示させるか、又は▲２▼当該文字列に対応する位置に所定の識別子を表示させて、前記検索手段により検索された説明情報を表示制御する表示制御手段と、
を備えることを特徴とする情報表示制御装置。
【請求項４】
前記見出語有り情報には、予め設定された推奨度が含まれ、
前記表示制御手段が、▲１▼該当する文字列を前記推奨度毎に異なる表示形態で表示制御するか、又は▲２▼当該一致文字列に対応する位置に特別な標識を表示制御する手段を有することを特徴とする請求項３に記載の情報表示制御装置。
【請求項５】
前記推奨度は、該当する見出語に対応する説明情報のデータ量に応じて設定されていることを特徴とする請求項４に記載の情報表示制御装置。
【請求項６】
前記推奨度は、該当する見出語に対応する説明情報に含まれる例文数に応じて設定されていることを特徴とする請求項４に記載の情報表示制御装置。
【請求項７】
所定の通信回線を介して、見出語と、当該見出語の説明情報とを対応付けた外部情報記憶手段を備えた情報提供装置と通信可能に構成され、
前記外部情報記憶手段に記憶された見出語を受信する受信手段と、
この受信手段により受信した見出語を記憶する見出語記憶手段と、
前記検索手段により検索された説明情報に含まれる文字列の一部と一致する一致文字列を、前記見出語記憶手段から抽出する見出語抽出手段と、
を備え、
前記表示制御手段が、前記見出語抽出手段により抽出された一致文字列を、▲１▼異なる表示形態で表示させるか、又は▲２▼当該一致文字列に対応する位置に所定の識別子を表示させて、前記検索手段により検索された説明情報を表示制御する見出語表示制御手段を有することを特徴とする請求項１〜６の何れか一項に記載の情報表示制御装置。
【請求項８】
前記受信手段が、予め定められたタイミングで前記情報提供装置と通信して前記外部情報記憶手段に記憶された見出語を受信する手段を有し、
受信した見出語に基づいて前記見出語記憶手段に記憶される見出語を更新する手段を備えることを特徴とする請求項７に記載の情報表示制御装置。
【請求項９】
見出語、当該見出語に対応する説明情報、当該説明情報に含まれる単語の解説をそれぞれ対応付けて記憶している第１の情報記憶手段及び第２の情報記憶手段と、
見出語を指定する見出語指定手段と、
この見出語指定手段により指定された見出語に対応する説明情報を前記第１の情報記憶手段に記憶された説明情報の中から検索する検索手段と、
この検索手段により検索された説明情報に含まれる単語の解説が前記第１の情報記憶手段及び第２の情報記憶手段に記憶されているか否かを判別する判別手段と、
この判別手段により前記第１の情報記憶手段に記憶されていると判別された際は、当該第１の情報記憶手段に記憶された解説の中から前記説明情報の文字列に含まれる単語の解説を検索できることを示す表示を行う第１の表示制御手段と、
前記判別手段により前記第１の情報記憶手段に記憶されていないが、前記第２の情報記憶手段に記憶されていると判別された際は、当該第２の情報記憶手段に記憶された解説の中から前記説明情報の文字列に含まれる単語の解説を検索できることを示す表示を行う第２の表示制御手段と、
を備えることを特徴とする情報表示制御装置。
【請求項１０】
コンピュータに、
見出語と当該見出語の説明情報とを対応付けて記憶している情報記憶機能と、
見出語を指定する見出語指定機能と、
この見出語指定機能により指定された見出語に対応する説明情報を前記情報記憶機能に記憶された説明情報の中から検索する検索機能と、
この検索機能により検索された説明情報に含まれる文字列の一部と一致する一致文字列を前記情報記憶機能から抽出する文字列抽出機能と、
▲１▼この文字列抽出機能により抽出された一致文字列の表示形態を変更して表示させるか、又は▲２▼当該一致文字列に対応する位置に所定の識別子を表示させて、前記検索機能により検索された説明情報を表示制御する表示制御機能と、
を実現させるためのプログラム。
【請求項１１】
コンピュータに、
見出語、当該見出語に対応する説明情報、当該説明情報に含まれる単語の解説をそれぞれ対応付けて記憶している第１の情報記憶機能及び第２の情報記憶機能と、
見出語を指定する見出語指定機能と、
この見出語指定機能により指定された見出語に対応する説明情報を前記第１の情報記憶機能に記憶された説明情報の中から検索する検索機能と、
この検索機能により検索された説明情報に含まれる単語の解説が前記第１の情報記憶機能及び第２の情報記憶機能に記憶されているか否かを判別する判別機能と、
この判別機能により前記第１の情報記憶機能に記憶されていると判別された際は、当該第１の情報記憶機能に記憶された解説の中から前記説明情報の文字列に含まれる単語の解説を検索できることを示す表示を行う第１の表示制御機能と、
前記判別機能により前記第１の情報記憶機能に記憶されていないが、前記第２の情報記憶機能に記憶されていると判別された際は、当該第２の情報記憶機能に記憶された解説の中から前記説明情報の文字列に含まれる単語の解説を検索できることを示す表示を行う第２の表示制御機能と、
を実現させるためのプログラム。
【発明の詳細な説明】
【０００１】
【発明の属する技術分野】
本発明は、指定された見出語に基づいて対応する説明情報を検索する情報表示制御装置及びプログラムに関する。
【０００２】
【従来の技術】
従来から、国語辞典、英和辞典、和英辞典、英英辞典、百科事典等、数種類の電子辞書データが組み込まれた電子辞書と呼ばれる情報表示制御装置が知られている。電子辞書の備えるジャンプ機能を利用すれば、例えば、国語辞典の説明情報中の文字列を指定し、その文字列を検索語として、同じ辞典である国語辞典や、他の辞典である和英辞典や百科事典の見出語の説明情報を表示させることができる。
【０００３】
電子辞書の備えるジャンプ機能（以下、適宜「ジャンプ」という。）とは、見出語に対応する説明情報が表示されている際に、その説明情報中の一部の文字列を指定して、当該指定した文字列を検索語として再度検索を行う機能のことである。
【０００４】
また、ジャンプ機能の一つとして、複数の辞書を有した電子辞書において、１つの辞書の使用中に他の辞書にジャンプする際、ジャンプ先の辞書を設定することのできる機能が知られている（特許文献１参照。）。
【０００５】
【特許文献１】
特開平２００１−１３４５８５号公報
【０００６】
【発明が解決しようとする課題】
ところで、上述した従来のジャンプ機能は、表示されている説明情報中の文字列を指定した後に、辞書の見出語の検索を行うようになっていたため、必ずしも指定した文字列に対する見出語が辞書に存在するとは限らない。このため、ユーザは、電子辞書データ内に該当する解説が存在しない単語を指定してジャンプを指示してしまうこともあり、使い勝手が悪かった。
【０００７】
本発明は、上記した従来の事情に鑑みてなされたものであり、電子辞書等の情報表示制御装置において、見出語の説明情報についてのさらなる説明情報を容易且つ適切に表示させることが可能な情報表示装置を提供することを目的とする。
【０００８】
【課題を解決するための手段】
以上の課題を解決するため、請求項１に記載の情報表示制御装置は、
見出語と当該見出語の説明情報とを対応付けて記憶している情報記憶手段（例えば、図２に示す国語辞典ＤＢ５３）と、
見出語を指定する見出語指定手段（例えば、図２に示す入力部２０；図８に示すステップＡ１２）と、
この見出語指定手段により指定された見出語に対応する説明情報を前記情報記憶手段に記憶された説明情報の中から検索する検索手段（例えば、図２に示すＣＰＵ１０；図８に示すステップＡ１６）と、
この検索手段により検索された説明情報に含まれる文字列の一部と一致する一致文字列を前記情報記憶手段から抽出する文字列抽出手段（例えば、図２に示すＣＰＵ１０；図１０に示すステップＡ２２２，Ａ２２４（ＹＥＳ））と、
▲１▼この文字列抽出手段により抽出された一致文字列の表示形態を変更して表示させるか、又は▲２▼当該一致文字列に対応する位置に所定の識別子を表示させて、前記検索手段により検索された説明情報を表示制御する表示制御手段（例えば、図２に示すＣＰＵ１０；図１０に示すステップＡ２２６）と、
を備えることを特徴としている。
【０００９】
また、請求項１０に記載のプログラムは、
コンピュータに、
見出語と当該見出語の説明情報とを対応付けて記憶している情報記憶機能と
見出語を指定する見出語指定機能と、
この見出語指定機能により指定された見出語に対応する説明情報を前記情報記憶機能に記憶された説明情報の中から検索する検索機能と、
この検索機能により検索された説明情報に含まれる文字列の一部と一致する一致文字列を前記情報記憶機能から抽出する文字列抽出機能と、
▲１▼この文字列抽出機能により抽出された一致文字列の表示形態を変更して表示させるか、又は▲２▼当該一致文字列に対応する位置に所定の識別子を表示させて、前記検索機能により検索された説明情報を表示制御する表示制御機能と、
を実現させることを特徴としている。
【００１０】
この請求項１又は１０に記載の発明によれば、指定された見出語に対応する説明情報の文字列に含まれる文字列の一部と一致する一致文字列を抽出し、抽出した一致文字列の表示形態を変更し、又は当該一致文字列に対応する位置に所定の識別子を表示させて、当該指定された見出語に対応する説明情報を表示させることができる。従って、見出語の説明情報についてのさらなる説明情報を容易且つ適切に表示させることができる。
【００１１】
そして、請求項２に記載の発明は、請求項１に記載の情報表示制御装置において、
前記情報記憶手段は、見出語と当該見出語の説明情報とを対応付けて記憶している異なる複数の情報記憶手段（例えば、図２に示す国語辞典ＤＢ５３，英和辞典ＤＢ５４，和英辞典５５）を有し、
前記文字列抽出手段は、前記複数の情報記憶手段毎に、前記検索手段により検索された説明情報に含まれる文字列の一部と一致する一致文字列を前記情報記憶手段から抽出する抽出手段（例えば、図２に示すＣＰＵ１０；図１０に示すステップＡ２２２，Ａ２２４（ＹＥＳ），Ａ２２８（ＹＥＳ））を有し、
前記表示制御手段は、▲１▼前記抽出手段により抽出された一致文字列を、前記複数の情報記憶手段毎に異なる表示形態で表示させるか、又は▲２▼当該一致文字列に対応する位置に所定の識別子を表示させて、前記検索手段により検索された説明情報を表示制御する複数情報表示制御手段（例えば、図２に示すＣＰＵ１０；図１０に示すステップＡ２２６，Ａ２３０）を有することを特徴としている。
【００１２】
この請求項２に記載の発明によれば、指定された見出語に対応する説明情報の文字列に含まれる文字列の一部と一致する一致文字列を前記複数の情報記憶手段からそれぞれ抽出し、抽出した一致文字列を前記複数の情報記憶手段毎に異なる表示形態で表示させるか、又は当該一致文字列に対応する位置に所定の識別子を表示させて、当該指定された見出語に対応する説明情報を表示させることができる。従って、前記複数の情報記憶手段から、指定された見出語の説明情報についてのさらなる説明情報を容易且つ適切に表示させることができる。
【００１３】
また、請求項３に記載の発明は、
見出語と当該見出語の説明情報とを対応付けて記憶している異なる複数の情報記憶手段（例えば、図２に示す国語辞典ＤＢ５３，英和辞典ＤＢ５４，和英辞典５５）を備えた情報表示制御装置において、
前記説明情報は、前記複数の情報記憶手段に記憶された見出語の何れかと一致する文字列を含む場合、当該文字列に関連付けた見出語有り情報（例えば、第２の実施の形態における推奨度情報）を有しており、
前記複数の情報記憶手段の内の何れかの情報記憶手段を指定する指定手段（例えば、図２に示す入力部２０；図８に示すステップＡ１０）と、
見出語を指定する見出語指定手段（例えば、図２に示す入力部２０；図８に示すステップＡ１２）と、
この見出語指定手段により指定された見出語に対応する説明情報を前記指定手段によって指定された情報記憶手段に記憶された説明情報の中から検索する検索手段（例えば、図２に示すＣＰＵ１０；図８に示すステップＡ１６）と、
この検索手段により検索された説明情報に対応する見出語有り情報に基づいて、▲１▼当該見出語有り情報に関連づけられている文字列を異なる表示形態で表示させるか、又は▲２▼当該文字列に対応する位置に所定の識別子を表示させて、前記検索手段により検索された説明情報を表示制御する表示制御手段（例えば、図２に示すＣＰＵ１０；図１７に示すジャンプ先推奨度表示処理）と、
を備えることを特徴としている。
【００１４】
この請求項３に記載の発明によれば、指定手段により指定された情報記憶手段から、見出語指定手段により指定された見出語に対応する説明情報を検索して表示させる際に、当該説明情報に対応する見出語有り情報に基づいて、当該見出語有り情報に関連づけられている文字列を異なる表示形態で表示させるか、又は当該文字列に対応する位置に所定の識別子を表示させて、当該指定された見出語に対応する説明情報を表示させることができる。従って、前記複数の情報記憶手段から、指定された見出語の説明情報についてのさらなる説明情報を容易且つ適切に表示させることができる。従って、前記複数の情報記憶手段から、指定された見出語の説明情報についてのさらなる説明情報を容易且つ適切に表示させることができる。
【００１５】
そして、請求項４に記載の発明は、請求項３に記載の情報表示制御装置において、
前記見出語有り情報には、予め設定された推奨度（例えば、第２の実施の形態における推奨度情報）が含まれ、
前記表示制御手段が、▲１▼該当する文字列を前記推奨度毎に異なる表示形態で表示制御するか、又は▲２▼当該一致文字列に対応する位置に特別な標識を表示制御する手段（例えば、図２に示すＣＰＵ１０；図１７に示すジャンプ先推奨度表示処理）を有することを特徴としている。
【００１６】
この請求項４に記載の発明によれば、指定された見出語に対応する説明情報を表示させる際に、当該説明情報に対応する見出語有り情報に含まれる推奨度に基づいて、該当する文字列を前記推奨度毎に異なる表示形態で表示制御するか、又は当該一致文字列に対応する位置に特別な標識を表示制御して、当該指定された見出語に対応する説明情報を表示させることができる。従って、指定された見出語の説明情報についてのさらなる説明情報を、推奨度により、容易且つ適切に表示させることができる。
【００１７】
そして、請求項５に記載の発明は、請求項４に記載の情報表示制御装置において、
前記推奨度は、該当する見出語に対応する説明情報のデータ量に応じて設定されていることを特徴としている。
【００１８】
この請求項５に記載の発明によれば、指定された見出語に対応する説明情報を表示させる際に、当該指定された見出語に対応する説明情報の文字列に含まれる文字列の一部と一致する一致文字列を、対応する説明情報のデータ量に基づいて設定される推奨度に基づいて、前記推奨度毎に異なる表示形態で表示制御するか、又は当該一致文字列に対応する位置に特別な標識を表示制御して、当該指定された見出語に対応する説明情報を表示させることができる。従って、指定された見出語の説明情報についてのさらなる説明情報を、対応する説明情報のデータ量に基づいて設定される推奨度により、容易且つ適切に表示させることができる。
【００１９】
さらに、請求項６に記載の発明は、請求項４に記載の情報表示制御装置において、
前記推奨度は、該当する見出語に対応する説明情報に含まれる例文数に応じて設定されていることを特徴としている。
【００２０】
この請求項６に記載の発明によれば、指定された見出語に対応する説明情報を表示させる際に、当該指定された見出語に対応する説明情報の文字列に含まれる文字列の一部と一致する一致文字列を、該当する見出語に対応する説明情報に含まれる例文数に応じて設定される推奨度に基づいて、該当する文字列を前記推奨度毎に異なる表示形態で表示制御するか、又は当該一致文字列に対応する位置に特別な標識を表示制御して、当該指定された見出語に対応する説明情報を表示させることができる。従って、指定された見出語の説明情報についてのさらなる説明情報を、該当する見出語に対応する説明情報に含まれる例文数に応じて設定される推奨度により、容易且つ適切に表示させることができる。
【００２１】
さらに、請求項７に記載の発明は、請求項１〜６の何れか一項に記載の情報表示制御装置において、
所定の通信回線を介して、見出語と、当該見出語の説明情報とを対応付けた外部情報記憶手段（例えば、図２に示すネット辞書ＤＢ１０２）を記憶した情報提供装置（例えば、図２に示す辞書サーバ１００）と通信可能に構成され、
前記外部情報記憶手段に記憶された見出語を受信する受信手段（例えば、図２に示す通信部４０；図１２に示すネット辞書見出語取得処理）と、
この受信手段により受信した見出語を記憶する見出語記憶手段（例えば、図２に示すネット辞書見出語一覧５６）と、
前記検索手段により検索された説明情報に含まれる文字列の一部と一致する一致文字列を、前記見出語記憶手段から抽出する見出語抽出手段（例えば、図２に示すＣＰＵ１０；図１０に示すステップＡ２２２，Ａ２３２（ＹＥＳ））と、
を備え、
前記表示制御手段が、前記見出語抽出手段により抽出された一致文字列を、▲１▼異なる表示形態で表示させるか、又は▲２▼当該一致文字列に対応する位置に所定の識別子を表示させて、前記検索手段により検索された説明情報を表示制御する見出語表示制御手段（例えば、図２に示すＣＰＵ１０；図１０に示すステップＡ２３４）を有することを特徴としている。
【００２２】
この請求項７に記載の発明によれば、情報表示制御装置において、通信回線を介して接続した情報提供装置で管理される外部情報記憶手段に記憶される見出語の一覧をダウンロードして前記見出語記憶手段に記憶することにより、指定された見出語に対応する説明情報を表示させる際に、当該指定された見出語に対応する説明情報の文字列に含まれる文字列の内、前記見出語記憶手段に記憶される見出語と一致する一致文字列を、異なる表示形態で表示させるか、又は当該一致文字列に対応する位置に所定の識別子を表示させて、当該指定された見出語に対応する説明情報を表示させることができる。従って、見出語の説明情報についてのさらなる説明情報のうち、外部情報記憶手段に記憶された説明情報を、容易且つ適切に表示させることができる。
【００２３】
そして、請求項８に記載の発明は、請求項７に記載の情報表示制御装置において、
前記受信手段が、予め定められたタイミングで前記情報提供装置と通信して前記外部情報記憶手段に記憶された見出語を受信する手段（例えば、図２に示す通信部４０；図１２に示すネット辞書見出語取得処理）を有し、
受信した見出語に基づいて前記見出語記憶手段に記憶される見出語を更新する手段（例えば、図２に示すＣＰＵ１０；図１２に示すステップＢ１４，Ｂ１６）を備えることを特徴としている。
【００２４】
この請求項８に記載の発明によれば、予め定められたタイミングで外部情報記憶手段に記憶される見出語をダウンロードすることができる。従って、情報表示制御装置において見出語記憶手段に記憶される見出語に、外部情報記憶手段の更新を反映させることができる。
【００２５】
また、請求項９に記載の発明の情報表示制御装置は、
見出語、当該見出語に対応する説明情報、当該説明情報に含まれる単語の解説をそれぞれ対応付けて記憶している第１の情報記憶手段（例えば、図２に示す国語辞書ＤＢ５３）及び第２の情報記憶手段（例えば、図２に示す英和辞書ＤＢ５４）と、
見出語を指定する見出語指定手段（例えば、図２に示す入力部２０；図８に示すステップＡ１２）と、
この見出語指定手段により指定された見出語に対応する説明情報を前記第１の情報記憶手段に記憶された説明情報の中から検索する検索手段（例えば、図２に示すＣＰＵ１０；図８に示すステップＡ１６）と、
この検索手段により検索された説明情報に含まれる単語の解説が前記第１の情報記憶手段及び第２の情報記憶手段に記憶されているか否かを判別する判別手段（例えば、図２に示すＣＰＵ１０；図１０に示すステップＡ２２４，Ａ２２８，Ａ２３２）と、
この判別手段により前記第１の情報記憶手段に記憶されていると判別された際は、当該第１の情報記憶手段に記憶された解説の中から前記説明情報の文字列に含まれる単語の解説を検索できることを示す表示を行う第１の表示制御手段（例えば、図２に示すＣＰＵ１０；図１０に示すステップＡ２２６）と、
前記判別手段により前記第１の情報記憶手段に記憶されていないが、前記第２の情報記憶手段に記憶されていると判別された際は、当該第２の情報記憶手段に記憶された解説の中から前記説明情報の文字列に含まれる単語の解説を検索できることを示す表示を行う第２の表示制御手段（例えば、図２に示すＣＰＵ１０；図１０に示すステップＡ２３０，Ａ２３４）と、
を備えることを特徴としている。
【００２６】
また、請求項１１に記載の発明のプログラムは、
コンピュータに、
見出語、当該見出語に対応する説明情報、当該説明情報に含まれる単語の解説をそれぞれ対応付けて記憶している第１の情報記憶機能（例えば、図２に示す国語辞書ＤＢ５３）及び第２の情報記憶機能（例えば、図２に示す英和辞書ＤＢ５４）と、
見出語を指定する見出語指定機能（例えば、図２に示す入力部２０；図８に示すステップＡ１２）と、
この見出語指定機能により指定された見出語に対応する説明情報を前記第１の情報記憶機能に記憶された説明情報の中から検索する検索機能（例えば、図２に示すＣＰＵ１０；図８に示すステップＡ１６）と、
この検索機能により検索された説明情報に含まれる単語の解説が前記第１の情報記憶機能及び第２の情報記憶機能に記憶されているか否かを判別する判別機能（例えば、図２に示すＣＰＵ１０；図１０に示すステップＡ２２４，Ａ２２８，Ａ２３２）と、
この判別機能により前記第１の情報記憶機能に記憶されていると判別された際は、当該第１の情報記憶機能に記憶された解説の中から前記説明情報の文字列に含まれる単語の解説を検索できることを示す表示を行う第１の表示制御機能（例えば、図２に示すＣＰＵ１０；図１０に示すステップＡ２２６）と、
前記判別機能により前記第１の情報記憶機能に記憶されていないが、前記第２の情報記憶機能に記憶されていると判別された際は、当該第２の情報記憶機能に記憶された解説の中から前記説明情報の文字列に含まれる単語の解説を検索できることを示す表示を行う第２の表示制御機能（例えば、図２に示すＣＰＵ１０；図１０に示すステップＡ２３０，Ａ２３４）と、
を実現させることを特徴としている。
【００２７】
この請求項９又は１１に記載の発明によれば、第１の情報記憶手段から、指定された見出語に対応する説明情報を検索して表示する際に、当該説明情報に含まれる単語の解説が第１の情報記憶手段に含まれると判別した場合に、該当する単語の解説を第１の情報記憶手段から検索できることを示す表示を行うことができる。さらに、説明情報に含まれる単語の解説が第２の情報記憶手段に含まれると判別した場合に、該当する単語の解説を第２の情報記憶手段から検索できることを示す表示を行うことができる。従って、見出語の説明情報について、第１の情報記憶手段或いは第２の情報記憶手段に記憶されるさらなる解説を容易且つ適切に表示させることができる。
【００２８】
【発明の実施の形態】
以下、図１〜図１８を参照して、本発明に係る情報表示制御装置を折りたたみ式の携帯型電子辞書に適用した場合の実施の形態について詳細に説明する。
【００２９】
携帯型電子辞書には、国語辞典、英和辞典、和英辞典、類義語辞典、ことわざ辞典等の各種電子辞書データ（辞書データベース）が内蔵されている。この電子辞書データには、見出語に対応付けて、当該見出語を説明するための文字データや、画像データ、動画データ、音声データ等が記憶される。ユーザは、辞書種別を選択して検索語を入力することにより、当該検索語の解説等を表示させることができる。また、ジャンプ機能を利用して、検索語の解説に含まれる単語の解説を表示させることができる。尚、以下では、携帯型電子辞書に、国語辞典、英和辞典、和英辞典の３種類の電子辞書データが内蔵されている場合を例にとって説明する。
【００３０】
図１に、情報表示制御装置の一種である携帯型電子辞書１の斜視概観図の一例を示す。同図に示すように、携帯型電子辞書１は、ディスプレイ３と、各種キー群５とを備えて構成されている。各種キー群５を構成するキーにはそれぞれ固有の機能が割り当てられており、ユーザは、これらのキーを押下して携帯型電子辞書１を操作する。
【００３１】
具体的には、文字入力キー、辞書種別の選択キー、指定した単語へのジャンプキー、指定した単語の用例表示キー等を備える。また、入力モードを切り替えることにより、文字入力キーによる仮名入力とアルファベット入力とを切り替えることができるようになっている。
【００３２】
〔第１の実施の形態〕
先ず、本発明を適用した情報表示制御装置である携帯型電子辞書の第１の実施の形態について説明する。
【００３３】
図２は、携帯型電子辞書１の機能構成例を示す図である。同図に示すように、携帯型電子辞書１は、ＣＰＵ１０、入力部２０、表示部３０、通信部４０、フラッシュＲＯＭ５０、ＲＡＭ７０の各機能部を備えて構成される。
【００３４】
ＣＰＵ１０は、入力される指示に応じて所定のプログラムに基づいた処理を実行し、各機能部への指示やデータの転送等を行い、携帯型電子辞書１を統括的に制御する。具体的には、ＣＰＵ１０は、入力部２０から入力される押下信号等に応じてフラッシュＲＯＭ５０に格納されたプログラムを読み出し、当該プログラムに従って処理を実行する。そして、処理結果をＲＡＭ７０に保存するとともに、当該処理結果を表示するための表示信号を適宜表示部３０に出力して、対応した表示情報を表示させる。
【００３５】
入力部２０は、仮名やアルファベット等の文字入力や機能選択等に必要なキー群を備えた入力装置であり、押下されたキーの押下信号等をＣＰＵ１０に出力する。この入力部２０におけるキー入力により、特に、検索語の入力、辞書種別の選択、検索実行指示、ジャンプ実行指示、モードの切替指示等の入力手段を実現する。尚、この入力部２０は、図１に示すキー群５に相当するものである。
【００３６】
表示部３０は、ＣＰＵ１０から入力される表示信号に基づいて各種画面を表示させるものであり、ＬＣＤ（Ｌｉｑｕｉｄ  Ｃｒｙｓｔａｌ  Ｄｉｓｐｌａｙ）等により構成される。尚、この表示部３０は、図１に示すディスプレイ３に相当する。
【００３７】
通信部４０は、ネットワークＮ１を介して接続される他の装置（例えば、辞書サーバ１００）と所定の情報を送受するための通信装置で構成される。このネットワークＮ１には、ＬＡＮ、ＷＡＮ、或いはインターネット等のネットワークが適用され、ＣＰＵ１０は、この通信部４０、及び電話回線、ＩＳＤＮ回線、無線通信回線、専用線、ＣＡＴＶ回線等の通信回線を介し、外部機器との通信を行うための制御を行う。
【００３８】
辞書サーバ１００は、当該辞書サーバ１００で管理しているネット辞書データベース１０２（以下、データベースを「ＤＢ」という。）に蓄積される辞書データを検索・表示可能に公開している。具体的には、辞書サーバ１００は、携帯型電子辞書１から送信される辞書データの検索要求に応じてネット辞書ＤＢ１０２から指定された見出語を検索し、当該見出語に対応する説明情報を携帯型電子辞書１に送信することによって、ネット辞書ＤＢ１０２を公開・提供する。
【００３９】
図３に、ネット辞書ＤＢ１０２の蓄積形式の一例を示す。同図に示すように、ネット辞書ＤＢ１０２には、見出語と、説明情報と、更新日付とが対応付けられた辞書データが蓄積される。このネット辞書ＤＢ１０２は、例えば、新語の追加等により随時更新され、辞書データが更新された際に、対応する更新日付が適宜更新される。また、説明情報には、見出語を説明するための文字データの他に、例えば、関連する画像データや音声データ等が適宜関連付けられて格納される。
【００４０】
また、辞書サーバ１００は、携帯型電子辞書１からの見出語取得要求に応じてネット辞書ＤＢ１０２に記憶される見出語を当該携帯型電子辞書１に送信する。より具体的には、携帯型電子辞書１は、見出語をダウンロードした前回の日付を保持しており、当該日付とともに見出語取得要求を辞書サーバ１００に送信する。辞書サーバ１００は、ネット辞書ＤＢ１０２に記憶された更新日付を参照し、見出語取得要求と共に受信した日付以降に更新された辞書データの見出語を携帯型電子辞書１に送信する。
【００４１】
フラッシュＲＯＭ５０は、電気的に書き込んだ情報が、電源が切れても不揮発に記憶されるものである。このフラッシュＲＯＭ５０には、各種初期設定、ハードウェアの検査、又は必要なプログラムのロード等を行うための初期プログラムが格納される。ＣＰＵ１０は、携帯型電子辞書１の電源投入時においてこの初期プログラムを実行することにより、携帯型電子辞書１の動作環境を設定する。
【００４２】
また、フラッシュＲＯＭ５０には、携帯型電子辞書１の動作に係る各種処理プログラムや携帯型電子辞書１の備える種々の機能を実現するためのプログラム等が格納されるとともに、特に、ジャンプ先表示付辞書検索プログラム５１と、ネット辞書見出語取得プログラム５２と、国語辞書ＤＢ５３と、英和辞書ＤＢ５４と、和英辞書ＤＢ５５と、ネット辞書見出語一覧５６とが格納される。
【００４３】
ＣＰＵ１０は、このフラッシュＲＯＭ５０に格納されたジャンプ先表示付辞書検索プログラム５１に従って、ジャンプ先表示付辞書検索処理を実行する。
【００４４】
具体的には、先ず、ＣＰＵ１０は、検索指示の入力に応じて指定された辞書ＤＢ（以下、「指定辞書ＤＢ」という。）に記憶される見出語から指定された検索語と一致する見出語を検索して、対応する説明情報を表示部３０に表示させる。
【００４５】
図４に、国語辞書ＤＢ５３の蓄積形式の一例を示す。同図に示すように、国語辞書ＤＢ５３には、見出語と、当該見出語を説明するための文字データである説明情報とが対応付けられた辞書データが蓄積される。同様にして、英和辞書ＤＢ５４及び和英辞書ＤＢ５５には、見出語と説明情報とが対応付けられた辞書データが蓄積される。以下、国語辞書ＤＢ５３、英和辞書ＤＢ５４、和英辞書ＤＢ５５、及びネット辞書ＤＢ１０２を包括的に「辞書ＤＢ」という。
【００４６】
そして、ＣＰＵ１０は、ジャンプ実行指示に応じて、当該時点で表示部３０に表示されている説明情報の文字列から各辞書ＤＢに記憶されている見出語（以下、適宜「登録見出語」という。）の何れかと一致する文字列を抽出する。具体的には、例えば、ＣＰＵ１０は、当該説明情報の文字列を先頭から順に走査し、最長一致方式による検索を行って単語を抽出し、各辞書ＤＢ内に抽出した単語と一致する見出語が記憶されている場合には、当該単語の文字列（以下、適宜「一致文字列」という。）を抽出文字列格納領域７２に格納して保持する。
【００４７】
図５に、抽出文字列格納領域７２の一例を示す。同図に示すように、抽出文字列格納領域７２には、一致文字列と、該当する登録見出語が記憶される辞書種別とが対応付けられて格納される。例えば、レコードＬ１０は、抽出された一致文字列“特許法”と合致する見出語が国語辞書ＤＢ５３及びネット辞書ＤＢ１０２に記憶されていることを示している。
【００４８】
そして、ＣＰＵ１０は、抽出した一致文字列をジャンプ可能な辞書種別毎に異なる表示形態で表示させる。この一致文字列は、表示画面上で選択することができるようになっている。図６に、選択文字列格納領域７４の一例を示す。ＣＰＵ１０は、現在選択されている一致文字列で、選択文字列格納領域７４を随時更新する。
【００４９】
そして、ＣＰＵ１０は、選択された一致文字列へのジャンプ確定指示に応じて、該当するジャンプ先の辞書ＤＢを指定辞書ＤＢに、当該一致文字列を見出し語データにそれぞれ設定して、対応する説明情報を読み出して表示させる。
【００５０】
また、ＣＰＵ１０は、ネット辞書見出語取得プログラム５２に従って、ネット辞書見出語取得処理を実行する。
【００５１】
具体的には、ＣＰＵ１０は、ネット辞書見出語の更新指示に応じて、通信部４０及びネットワークＮ１を介して辞書サーバ１００に接続し、ネット辞書ＤＢ１０２に記憶された見出語をダウンロードする。
【００５２】
より具体的には、ＣＰＵ１０は、辞書サーバ１００に見出語取得要求を送信する。この際、ＣＰＵ１０は、見出語取得要求とともに、ネット辞書見出語一覧５６に保持されている更新日付を送信する。
【００５３】
図７に、ネット辞書見出語一覧５６の蓄積形式の一例を示す。同図に示すように、ネット辞書見出語一覧５６には、ネット辞書の見出語をダウンロードした最新の日付を更新日付とし、ダウンロードしたネット辞書見出語の一覧と共に格納される。例えば、図７に示すネット辞書見出語の一覧は、２００２年８月１日に更新されたことを示している。
【００５４】
また、ＣＰＵ１０は、前回ネット辞書見出語一覧５６が更新されてからの経過時間を監視し、予め設定された見出語の更新タイミング（例えば、前回更新してから１ヶ月経過時）と判断した場合には、当該時点以降に辞書サーバ１００との接続が確立されると、自動的に、見出語取得要求と、ネット辞書見出語一覧５６に保持されている更新日付とを辞書サーバ１００に送信して、ネット辞書ＤＢ１０２に記憶された見出語をダウンロードして更新する。
【００５５】
ＲＡＭ７０は、ＣＰＵ１０が実行する各種プログラムや、これらプログラムの実行に係るデータ等を一時的に保持するメモリ領域を備える。特に、抽出文字列格納領域７２と、選択文字列格納領域７４とを備える。
【００５６】
次に、本発明を適用した第１の実施の形態における携帯型電子辞書１の動作について図８〜図１２を参照して説明する。図８，１０，１２は携帯型電子辞書１の動作フローを、図９は表示部３０に表示される画面の遷移例を、図１１は表示画面例を、それぞれ示している。
【００５７】
図８は、ジャンプ先表示付辞書検索処理の実行に係る携帯型電子辞書１の動作を示すフローチャートである。同図に示すように、辞書の指定操作が入力されると（ステップＡ１０）、ＣＰＵ１０は、表示部３０に検索語入力画面を表示させ、検索語が入力されるとともに（ステップＡ１２）、検索実行が指示される（ステップＡ１４）まで待機する。
【００５８】
図９（ａ）に、検索語入力画面２００の一例を示す。同図に示す検索語入力画面２００は、国語辞典を指定した際に表示される画面例であり、検索語入力ボックス２０２に検索語“特許”が入力されている。
【００５９】
ＣＰＵ１０は、検索実行指示に応じて、先ず、指定された検索語を見出語に設定し、当該見出語をステップＡ１０で指定された指定辞書ＤＢに記憶されている見出語から検索する（ステップＡ１６）。そして、ＣＰＵ１０は、検索された見出語に対応する説明情報を読み出して表示部３０に表示させる（ステップＡ１８）。
【００６０】
図９（ｂ）に、この段階で表示部３０に表示される検索結果表示画面２０４の一例を示す。同図に示すように、検索結果表示画面２０４には、見出語“特許”に対応する説明情報が表示されている。
【００６１】
また、ＣＰＵ１０は、ジャンプ実行指示が入力されると（ステップＡ２０）、ジャンプ先表示処理を実行する（ステップＡ２２）。
【００６２】
図１０は、ジャンプ先表示処理の実行に係る携帯型電子辞書１の動作を示すフローチャートである。同図に示すように、先ず、ＣＰＵ１０は、ポインタの位置を説明情報の先頭に設定する（ステップＡ２２０）。ここで、ポインタは、説明情報から読み出す文字列の先頭の文字を指示するものである。次いで、ＣＰＵ１０は、最長一致方式による検索を行ってポインタ位置から配列された文字を順に走査して、単語を抽出する（ステップＡ２２２）。
【００６３】
そして、ＣＰＵ１０は、抽出した一致文字列が、指定辞書ＤＢ（例えば、国語辞書ＤＢ５３）内に記憶された見出語と一致した場合には（ステップＡ２２４：ＹＥＳ）、同辞典へのジャンプが可能なことを示すマークを一致文字列に付加して識別表示する（ステップＡ２２６）。この識別表示は、マークによる識別表示に限らず、例えば、一致文字列の文字色、文字フォント、或いは背景色による識別表示や、下線による識別表示であってもよい。また、この際、ＣＰＵ１０は、一致文字列に指定辞書ＤＢであることを表す辞書種別を対応付けて、抽出文字列格納領域６４に格納する。
【００６４】
例えば、図９（ｃ）に示すように、文字列“特許法”に、ジャンプ先が存在することが矢印付きの下線（Ｕ１０）により識別表示され、当該ジャンプ先が国語辞典であることを示すマークＭ１０が表示されている。また、他の例としては、図１１に示すように、文字列“特許法”は、ジャンプ先が存在するとともに、当該ジャンプ先が国語辞典であることが、該当する線種別の矢印付き下線Ｕ２０により識別表示されている。
【００６５】
そして、ＣＰＵ１０は、一致文字列が、他の辞書ＤＢ内（例えば、英和辞書ＤＢ５４或いは和英辞書ＤＢ５５）に記憶された見出語と一致した場合には（ステップＡ２２８：ＹＥＳ）、該当する他辞典へのジャンプが可能なことを示すマークを一致文字列に付加して識別表示する（ステップＡ２３０）。この識別表示は、マークによる識別表示に限らず、例えば、一致文字列の文字色、文字フォント、或いは背景色による識別表示や、下線による識別表示であってもよい。また、この際、ＣＰＵ１０は、一致文字列に、該当する辞書ＤＢであることを表す辞書種別を対応付けて、抽出文字列格納領域６４に格納する。
【００６６】
例えば、図９（ｃ）に示すように、文字列“ｐａｔｅｎｔ”は、ジャンプ先が存在することが矢印付きの下線Ｕ１０により識別表示され、当該ジャンプ先が英和辞典であることを示すマークＭ１２が表示されている。そして、和英辞典にジャンプ先が存在する場合には、該当する文字列にジャンプ先が存在することが矢印付きの下線（Ｕ１０）により識別表示されるとともに、当該ジャンプ先が和英辞典であることを示すマーク（Ｍ１４）が表示される。また、他の例としては、図１１に示すように、“ｐａｔｅｎｔ”には、ジャンプ先が存在するとともに、当該ジャンプ先が英和辞典であることが、該当する線種別の矢印付き下線Ｕ２２により識別表示されている。そして、和英辞典にジャンプ先が存在する場合には、該当する文字列にジャンプ先が存在することが、該当する線種別の矢印付き下線（Ｕ２４）により識別表示される。
【００６７】
さらに、ＣＰＵ１０は、一致文字列が、ネット辞書ＤＢ１０２内に記憶された見出語と一致した場合、即ち、一致文字列が、ネット辞書見出語一覧５６に記憶された見出語と一致した場合には（ステップＡ２３２：ＹＥＳ）、ネット辞典へのジャンプが可能なことを示すマークを文字列に付加して識別表示する（ステップＡ２３４）。この識別表示は、マークによる識別表示に限らず、例えば、一致文字列の文字色、文字フォント、或いは背景色による識別表示や、下線による識別表示であってもよい。また、この際、ＣＰＵ１０は、一致文字列にネット辞書ＤＢ１０２であることを表す辞書種別を対応付けて、抽出文字列格納領域６４を更新する。
【００６８】
例えば、図９（ｃ）に示すように、文字列“特許法”に、ジャンプ先が存在することが矢印付きの下線（Ｕ１０）により識別表示され、当該ジャンプ先がネット辞典であることを示すマークＭ１６が表示されている。また、他の例としては、図１１に示すように、文字列“特許法”は、ジャンプ先が存在するとともに、当該ジャンプ先がネット辞典へのジャンプが可能であることが、当該文字列表示エリアＥ２０の背景色が変更されることにより識別表示されている。
【００６９】
そして、ＣＰＵ１０は、ポインタを一致文字列の直後に移動させて（ステップＡ２３６）、当該ポインタ位置が説明情報の末尾でない場合には（ステップＡ２３８：ＮＯ）、ステップＡ２２２に戻って上述した処理を繰り返す。また、ＣＰＵ１０は、ポインタ位置が説明情報の末尾の場合には（ステップＡ２３８：ＹＥＳ）、本処理を終了して、図８に示すステップ２４に遷移する。
【００７０】
また、ＣＰＵ１０は、ジャンプ先の文字列の指定操作の入力を受け付けるとともに（ステップＡ２４）、終了操作の入力を監視し（ステップＡ２６）、終了操作が入力された場合には、本処理を終了する。
【００７１】
また、ジャンプ先の文字列の指定操作が入力されて（ステップＡ２４：ＹＥＳ）、指定辞書へのジャンプが指示された場合には（ステップＡ２８：ＹＥＳ）、ＣＰＵ１０は、選択文字列格納領域７４を参照して指定された一致文字列を見出語に設定して（ステップＡ３０）、ステップＡ１６に戻って上述した処理を繰り返し、対応する説明情報を検索して表示させる。
【００７２】
また、他辞書へのジャンプが指示された場合には（ステップＡ３２：ＹＥＳ）、ＣＰＵ１０は、当該他辞書を指定辞書に設定するとともに（ステップＡ３４）、選択文字列格納領域７４を参照して指定された一致文字列を見出語に設定する（ステップＡ３６）。そして、ＣＰＵ１０は、ステップＡ１６に戻って上述した処理を繰り返し、対応する説明情報を検索して表示させる。
【００７３】
さらに、ネット辞書へのジャンプが指示された場合には（ステップＡ３８：ＹＥＳ）、ＣＰＵ１０は、ネット辞書を辞書種別に設定するとともに（ステップＡ４０）、選択文字列格納領域７４を参照して指定された一致文字列を見出語に設定する（ステップＡ４２）。そして、ＣＰＵ１０は、通信部４０及びネットワークＮ１を介して辞書サーバ１０に接続して見出語を送信し、ネット辞書ＤＢ１０２から対応する説明情報をダウンロードして表示させる（ステップＡ４４）。
【００７４】
例えば、図９（ｃ）に示す検索結果表示画面２０４において、“−−けん”を選択すると、ジャンプ先の辞書種別の選択入力を促す画面が表示され、国語辞典或いはネット辞典の内、何れか一方を選択することができる。そして、国語辞典へのジャンプを指示すると、例えば、図９（ｄ）に示す検索結果表示画面２０６が表示され、国語辞書ＤＢ５３に格納される見出語“特許権”に対応付けられた説明情報が表示される。また、ネット辞典へのジャンプを指示すると、図９（ｅ）に示す検索結果表示画面２０８が表示され、ネット辞書ＤＢ１０２に格納される見出語“特許権”に対応付けられた説明情報が表示されるようになっている。
【００７５】
図１２は、ネット辞書見出語取得処理の実行に係る携帯型電子辞書１の動作を示すフローチャートである。同図に示すように、入力部２０を介してネット辞書見出語の更新指示が入力されると（ステップＢ１０）、ＣＰＵ１０は、辞書サーバ１００に初めて接続する場合には（ステップＢ１２：ＹＥＳ）、辞書サーバ１００に見出語取得要求を送信する。そして、ＣＰＵ１０は、ネット辞書ＤＢ１０２に記憶されている全ての見出語をダウンロードしてネット辞書見出語一覧５６のネット辞書見出語を更新するとともに、更新日付を当該日の日付で更新する（ステップＢ１４）。
【００７６】
また、ＣＰＵ１０は、２回目以降の更新指示に応じて（ステップＢ１２：ＮＯ）、辞書サーバ１００にネット辞書見出語一覧５６に保持される更新日付を送信する。そして、ＣＰＵ１０は、前回ネット辞書の見出語一覧が更新された日以降に更新された辞書データに対応する見出語をダウンロードしてネット辞書見出語一覧５６のネット辞書見出語を更新するとともに、更新日付を当該日の日付で更新し（ステップＢ１６）、本処理を終了する。
【００７７】
以上説明したように、第１の実施の形態によれば、検索語を入力して検索実行を指示することにより表示された説明情報に含まれる文字列の内、登録見出語と一致する文字列を、ジャンプ先の辞書種別毎に異なる表示形態で表示させることができる。
【００７８】
尚、上記した第１の実施の形態においては、表示させた説明情報の文字列の内、登録見出語と合致する文字列を抽出することとして説明したが、例えば、説明情報中に含まれる一致文字列に、該当する辞書種別を識別可能なマークを対応付けて記憶しておくことにより、説明情報を表示させる際に、当該マーク情報に基づいて一致文字列を他の文字列と異なる表示形態で表示させることが可能である。
【００７９】
〔第２の実施の形態〕
次に、本発明を適用した携帯型電子辞書の第２の実施の形態について説明する。尚、第２の実施の形態における携帯型電子辞書の構成は、第１の実施の形態において図２に示した携帯型電子辞書１の構成において、フラッシュＲＯＭ５０を図１３（ａ）に示すフラッシュＲＯＭ６０、ＲＡＭ７０を図１３（ｂ）に示すＲＡＭ８０に置き換えた構成と同様であり、以下、同一の構成要素には同一の符号を付してその説明を省略する。
【００８０】
先ず、図１３を参照して、本発明を適用した第２の実施の形態におけるフラッシュＲＯＭ６０とＲＡＭ８０の構成について説明する。図１３（ａ）にフラッシュＲＯＭ６０の、（ｂ）にＲＡＭ８０の構成をそれぞれ示す。（ａ）に示すように、フラッシュＲＯＭ６０には、第２の実施の形態を実現するため、特に、推奨度表示付辞書検索プログラム６２と、国語辞書ＤＢ６４と、英和辞書ＤＢ６６と、和英辞書ＤＢ６８とが格納される。また、（ｂ）に示すように、ＲＡＭ８０には、表示部３０に表示させる辞書データを保持する表示辞書データ格納領域８２を備える。
【００８１】
ＣＰＵ１０は、このフラッシュＲＯＭ６０に格納される推奨度表示付辞書検索プログラム６２に従って、推奨度表示付辞書検索処理を実行する。
【００８２】
具体的には、先ず、ＣＰＵ１０は、検索指示の入力に応じて指定辞書ＤＢに記憶されている見出語から指定された検索語と一致する見出語を検索して、対応する説明情報を表示部３０に表示させる。
【００８３】
図１４は、和英辞書ＤＢ６８の蓄積形式の一例を示す図である。同図に示すように、和英辞書ＤＢ６８には、見出語と説明情報とが対応付けられた辞書データが蓄積される。また、説明情報には、当該説明情報に含まれる単語にジャンプ推奨度を表示させるための推奨度情報を含んで記憶される。
【００８４】
具体的には、例えば、レコードＬ３０に示す辞書データにおいて、説明情報には、英単語“ｍａｒｉｍｏ”、“ｒｏｕｎｄ”、“ｇｒｅｅｎ”、及び“ａｌｇａ”が含まれるとともに、“ｍａｒｉｍｏ”に対応する推奨度情報６８１ｄ“⇒×”、“ｒｏｕｎｄ”に対応する推奨度情報６８１ｃ“⇒△”、“ｇｒｅｅｎ”に対応する推奨度情報６８１ｃ“⇒△”、及び“ａｌｇａ”に対応する推奨度情報６８１ｂ“⇒○”が含まれる。また、レコードＬ３２に示す辞書データにおいて、説明情報には、英単語“ｄｉｒｅｃｔｉｏｎ”、“ｗａｙ”、及び“ｃｏｕｒｓｅ”が含まれるとともに、“ｄｉｒｅｃｔｉｏｎ”に対応する推奨度情報６８１ｃ“⇒△”、“ｗａｙ”に対応する推奨度情報６８１ａ“⇒◎”、及び“ｃｏｕｒｓｅ”に対応する推奨度情報６８１ａ“⇒◎”が含まれる。
【００８５】
この推奨度情報は、例えば、推奨度情報６８１ｄ“⇒×”，推奨度情報６８１ｃ“⇒△”，推奨度情報６８１ｂ“⇒○”，推奨度情報６８１ａ“⇒◎”の順に推奨度合いが高くなることを示しており、特に、推奨度情報６８１ｄ“⇒×”は、対応する文字列にジャンプ先の説明情報が存在しないことを示している。同様にして、国語辞書ＤＢ６４及び英和辞書ＤＢ６６には、見出語と、推奨度情報を含む説明情報とが対応付けられた辞書データが蓄積されている。
【００８６】
また、推奨度情報は、該当する説明情報のデータ量、当該説明情報に含まれる例文数、説明情報の意味内容等に基づいて予め設定される。
【００８７】
例えば、説明情報のデータ量とは、例えば、該当する説明情報に含まれる文字数のことである。この説明情報のデータ量に基づいて推奨度情報を定義する場合には、例えば、説明情報の文字数が“０”の場合には推奨度情報６８１ｄ“⇒×”を、１文字以上の場合には推奨度情報６８１ｃ“⇒△”を、１５０文字以上の場合には推奨度情報６８１ｂ“⇒○”を、３００文字以上の場合には推奨度情報６８１ａ“⇒◎”を、該当する単語に関連付ける。
【００８８】
そして、説明情報の例文数とは、例えば、図１４に示す見出語“方向”に対応する説明情報に含まれる“ｉｎ  ｔｈｅ  ｃｏｕｎｔｅｒ  ｄｉｒｅｃｔｉｏｎ”や、“ａ  ｒｏａｄ  ｄｉｖｉｄｉｎｇ  ｉｎｔｏ  ｔｗｏ  ｄｉｒｅｃｔｉｏｎ”といった、当該見出語の単語を用いた例文の数のことである。この説明情報の例文数に基づいて推奨度情報を定義する場合には、例えば、説明情報に含まれる例文数が“０”の場合には推奨度情報６８１ｄ“⇒×”を、例文数が“１”以上の場合には推奨度情報６８１ｃ“⇒△”を、例文数が“５”以上の場合には推奨度情報６８１ｂ“⇒○”を、例文数が“１０”以上の場合には推奨度情報６８１ａ“⇒◎”を、該当する単語に関連付けて記憶する。
【００８９】
また、推奨度情報は、該当する説明情報の意味内容に応じて定義されるものであってもよい。この説明情報の意味内容に基づいて推奨度情報を定義する場合には、例えば、図１４に示す見出語“まりも”の説明情報には、見出語“まりも”の意味内容に応じて“ａｌｇａ”に推奨度情報６８１ｂ“⇒○”が、“ｒｏｕｎｄ”及び“ｇｒｅｅｎ”に推奨度情報６８１ｃ“⇒△”が、“ｍａｒｉｍｏ”に推奨度情報６８１ｄ“⇒×”が、それぞれ設定されて記憶される。
【００９０】
ＣＰＵ１０は、検索語に指定された見出語に対応する説明情報を表示部３０に表示させる際に、推奨度情報が対応付けられた単語を他の文字列と異なる表示形態で表示部３０に表示させる。また、この際、ＣＰＵ１０は、説明情報中に含まれる推奨度情報を削除した表示用の説明情報を作成して表示辞書データ格納領域８２を更新して記憶する。
【００９１】
次に、図１５〜１８を参照して、本発明を適用した第２の実施の形態における携帯型電子辞書の動作について説明する。図１５，１７は、第２の実施の形態における携帯型電子辞書の動作フローを、図１６，１８は表示部３０に表示される画面遷移例を、それぞれ示している。
【００９２】
図１５は、推奨度表示付辞書検索処理の実行に係る第２の実施の形態における携帯型電子辞書の動作を示すフローチャートである。同図に示すように、辞書の指定操作が入力されると（ステップＣ１０）、ＣＰＵ１０は、表示部３０に検索語入力画面を表示して、検索が入力されるとともに（ステップＣ１２）、検索実行が指示される（ステップＣ１４）まで待機する。
【００９３】
ＣＰＵ１０は、検索実行指示の入力に応じて、先ず、指定された検索語を見出語に設定し、当該見出語を指定辞書ＤＢに記憶される見出語から検索する（ステップＣ１６）。そして、ＣＰＵ１０は、検索された見出語に対応する説明情報を読み出して表示部３０に表示させる（ステップＣ１８）。
【００９４】
また、ＣＰＵ１０は、ジャンプ実行指示が入力されると（ステップＣ２０）、ジャンプ先推奨度表示処理を実行する（ステップＣ２２）。
【００９５】
図１７は、ジャンプ先推奨度表示処理の実行に係る第２の実施の形態における携帯型電子辞書の動作を示すフローチャートである。同図に示すように、先ず、ＣＰＵ１０は、ポインタの位置を説明情報の先頭に設定する（ステップＣ２２０）。そして、ＣＰＵ１０は、説明情報の文字列を先頭から順に走査し、説明情報中の推奨度情報を検索する（ステップＣ２２２）。
【００９６】
そして、ＣＰＵ１０は、推奨度情報６８１ａ“⇒◎”が検索された場合には（ステップＣ２２４：ＹＥＳ）、説明情報に、当該説明情報中の対応する文字列に太下線（太線の下線）を表示させるための表示情報を付加するとともに、当該推奨度情報６８１ａ“⇒◎”を削除して表示辞書データ格納領域８２を更新する（ステップＣ２２６）。
【００９７】
そして、ＣＰＵ１０は、推奨度情報６８１ｂ“⇒○”が検索された場合には（ステップＣ２２８：ＹＥＳ）、説明情報に、当該説明情報中の対応する文字列に実下線（実線の下線）を表示させるための表示情報を付加するとともに、当該推奨度情報６８１ｂ“⇒○”を削除して表示辞書データ格納領域８２を更新する（ステップＣ２３０）。
【００９８】
そして、ＣＰＵ１０は、推奨度情報６８１ｃ“⇒△”が検索された場合には（ステップＣ２３２：ＹＥＳ）、説明情報に、当該説明情報中の対応する文字列に点下線（点線の下線）を表示させるための表示情報を付加するとともに、当該推奨度情報６８１ｃ“⇒△”を削除して表示辞書データ格納領域８２を更新する（ステップＣ２３４）。
【００９９】
さらに、ＣＰＵ１０は、推奨度情報６８１ｄ“⇒×”が検索された場合には（ステップＣ２３６：ＹＥＳ）、説明情報に、当該説明情報中の対応する文字列にマーク“×”を表示させるための表示情報を付加するとともに、推奨度情報６８１ｄ“⇒×”を削除して表示辞書データ格納領域８２を更新する（ステップＣ２３８）。
【０１００】
そして、ＣＰＵ１０は、ポインタを当該一致文字列の直後に移動させて（ステップＣ２４０）、当該ポインタ位置が説明情報の末尾ではない場合には（ステップＣ２４２：ＮＯ）、ステップＣ２２２に戻って上述した処理を繰り返す。また、ＣＰＵ１０は、ポインタ位置が説明情報の末尾の場合には（ステップＣ２４２：ＹＥＳ）、本処理を終了して、図１５に示すステップＣ２４に遷移する。
【０１０１】
例えば、図１６（ａ）に示すように、和英辞典を指定して検索語入力画面３００を表示させるとともに、検索語入力ボックス３０２に検索語“まりも”を入力すると、図１６（ｂ）に示すように、説明情報中のジャンプ可能な英単語が、それぞれ該当する説明情報のジャンプ推奨度に応じた線種別で下線表示される。
【０１０２】
例えば、図１６（ｂ）において、“ａｌｇａ”は、ジャンプ先へのジャンプ推奨度“中”を示す線種別の矢印付き下線Ｕ３２により識別表示されている。また、文字列“ｒｏｕｎｄ”は、ジャンプ先へのジャンプ推奨度“小”を示す線種別の矢印付き下線Ｕ３４により識別表示されている。また、英単語“ｍａｒｉｍｏ”には、ジャンプ先の説明情報が存在しないことを表すマークＭ３０“×”が表示されている。また、ジャンプ先へのジャンプ推奨度“大”の文字列には、該当する線種別による矢印付き下線Ｕ３０により識別表示される。
【０１０３】
また、ＣＰＵ１０は、ジャンプ先の文字列の指定操作の入力を受け付けるとともに（ステップＣ２４）、終了操作の入力を監視し（ステップＣ２６）、終了操作が入力された場合には、本処理を終了する。
【０１０４】
また、ジャンプ先の文字列の指定操作が入力された場合であって（ステップＣ２４：ＹＥＳ）、マーク“×”が表示された文字列が選択された場合には（ステップＡ２８：ＹＥＳ）、ＣＰＵ１０は、当該文字列の選択操作の無効メッセージを表示部３０に表示させ（ステップＣ３０）、ステップＣ２４に戻って、ジャンプ先の文字列の指定操作の入力を待機する。
【０１０５】
また、マーク“×”が表示された文字列以外が選択された場合には（ステップＣ２８：ＮＯ）、指定された文字列を見出語に設定し（ステップＣ３２）、その設定した見出語に対応する辞書ＤＢを指定辞書ＤＢとして、ステップＣ１６に戻って上述した処理を繰り返し、対応する説明情報を検索して表示させる。
【０１０６】
例えば、図１６（ｂ）に示す検索結果表示画面３０４において、“ａｌｇａ”を選択して反転表示（Ｅ３０）させると、図１６（ｃ）に示すように、英和辞典の検索結果表示画面３０６が表示され、英和辞書ＤＢ６６に格納される見出語“ａｌｇａ”に対応付けられた説明情報が表示される。
【０１０７】
図１８に、他の画面遷移例を示す。例えば、図１８（ａ）に示す検索語入力画面３１０において、検索語入力ボックス３１２に検索語“方向”を入力して検索実行を指示すると、（ｂ）に示すように、指定された文字列を見出語に対応する説明情報が表示されるとともに、説明情報中のジャンプ可能な英単語が、それぞれ該当する説明情報のジャンプ推奨度に応じた線種別で下線表示される。
【０１０８】
例えば、図１８（ｂ）において、“ｗａｙ”は、ジャンプ先へのジャンプ推奨度“小”を示す線種別の矢印付き下線Ｕ４４により識別表示されている。また、文字列“ｗａｙ”は、ジャンプ先へのジャンプ推奨度“大”を示す線種別の矢印付き下線Ｕ４０により識別表示されている。そして、文字列“ｃｏｕｒｓｅ”は、ジャンプ先へのジャンプ推奨度“中”を示す線種別の矢印付き下線Ｕ４２により識別表示されている。また、英単語“ｍａｒｉｍｏ”には、ジャンプ先の説明情報が存在しないことを表すマークＭ４０“×”が表示されている。
【０１０９】
さらに、（ｂ）に示す検索結果表示画面３１４において、“ｗａｙ”を選択して反転表示（Ｅ４０）させると、（ｃ）に示すように、英和辞典の検索結果表示画面３１６が表示され、英和辞書ＤＢ６６に格納される見出語“ｗａｙ”に対応付けられた説明情報が表示される。
【０１１０】
以上説明したように、第２の実施の形態によれば、検索語を入力して検索実行を指示することにより表示された説明情報に含まれる文字列の内、ジャンプ可能な文字列を、対応する説明情報のジャンプ推奨度に応じた表示形態で表示させることができる。
【０１１１】
尚、この実施の形態では電子辞典、電子事典などを含む電子辞書を適用例として説明したが、本発明が適用可能なものは、このような製品に限定されず、携帯電話、パソコン、電子時計などの電子機器全般に適用可能である。また、電子辞書本体に対して着脱可能なメモリカード、ＣＤ等に電子辞書データを記憶することとしてもよい。
【０１１２】
また、上記した実施の形態においては、ネットワークＮ１を介して辞書サーバ１００に接続し、ネット辞書ＤＢ１０２から見出語をダウンロードする場合について説明したが、例えば、ケーブル接続されたパソコン等に着脱可能なＣＤ−ＲＯＭ等に記憶されている辞書ＤＢから見出語をダウンロードすることとしてもよい。
【０１１３】
【発明の効果】
【０１１４】
請求項１又は１０に記載の発明によれば、指定された見出語に対応する説明情報の文字列に含まれる文字列の一部と一致する一致文字列を抽出し、抽出した一致文字列の表示形態を変更し、又は当該一致文字列に対応する位置に所定の識別子を表示させて、当該指定された見出語に対応する説明情報を表示させることができる。従って、見出語の説明情報についてのさらなる説明情報を容易且つ適切に表示させることができる。
【０１１５】
請求項２に記載発明によれば、指定された見出語に対応する説明情報の文字列に含まれる文字列の一部と一致する一致文字列を前記複数の情報記憶手段からそれぞれ抽出し、抽出した一致文字列を前記複数の情報記憶手段毎に異なる表示形態で表示させるか、又は当該一致文字列に対応する位置に所定の識別子を表示させて、当該指定された見出語に対応する説明情報を表示させることができる。従って、前記複数の情報記憶手段から、指定された見出語の説明情報についてのさらなる説明情報を容易且つ適切に表示させることができる。
【０１１６】
請求項３に記載の発明によれば、指定手段により指定された情報記憶手段から、見出語指定手段により指定された見出語に対応する説明情報を検索して表示させる際に、当該説明情報に対応する見出語有り情報に基づいて、当該見出語有り情報に関連づけられている文字列を異なる表示形態で表示させるか、又は当該文字列に対応する位置に所定の識別子を表示させて、当該指定された見出語に対応する説明情報を表示させることができる。従って、前記複数の情報記憶手段から、指定された見出語の説明情報についてのさらなる説明情報を容易且つ適切に表示させることができる。従って、前記複数の情報記憶手段から、指定された見出語の説明情報についてのさらなる説明情報を容易且つ適切に表示させることができる。
【０１１７】
請求項４に記載の発明によれば、指定された見出語に対応する説明情報を表示させる際に、当該説明情報に対応する見出語有り情報に含まれる推奨度に基づいて、該当する文字列を前記推奨度毎に異なる表示形態で表示制御するか、又は当該一致文字列に対応する位置に特別な標識を表示制御して、当該指定された見出語に対応する説明情報を表示させることができる。従って、指定された見出語の説明情報についてのさらなる説明情報を、推奨度により、容易且つ適切に表示させることができる。
【０１１８】
請求項５に記載の発明によれば、指定された見出語に対応する説明情報を表示させる際に、当該指定された見出語に対応する説明情報の文字列に含まれる文字列の一部と一致する一致文字列を、対応する説明情報のデータ量に基づいて設定される推奨度に基づいて、前記推奨度毎に異なる表示形態で表示制御するか、又は当該一致文字列に対応する位置に特別な標識を表示制御して、当該指定された見出語に対応する説明情報を表示させることができる。従って、指定された見出語の説明情報についてのさらなる説明情報を、対応する説明情報のデータ量に基づいて設定される推奨度により、容易且つ適切に表示させることができる。
【０１１９】
請求項６に記載の発明によれば、指定された見出語に対応する説明情報を表示させる際に、当該指定された見出語に対応する説明情報の文字列に含まれる文字列の一部と一致する一致文字列を、該当する見出語に対応する説明情報に含まれる例文数に応じて設定される推奨度に基づいて、該当する文字列を前記推奨度毎に異なる表示形態で表示制御するか、又は当該一致文字列に対応する位置に特別な標識を表示制御して、当該指定された見出語に対応する説明情報を表示させることができる。従って、指定された見出語の説明情報についてのさらなる説明情報を、該当する見出語に対応する説明情報に含まれる例文数に応じて設定される推奨度により、容易且つ適切に表示させることができる。
【０１２０】
請求項７に記載の発明によれば、情報表示制御装置において、通信回線を介して接続した情報提供装置で管理される外部情報記憶手段に記憶される見出語の一覧をダウンロードして前記見出語記憶手段に記憶することにより、指定された見出語に対応する説明情報を表示させる際に、当該指定された見出語に対応する説明情報の文字列に含まれる文字列の内、前記見出語記憶手段に記憶される見出語と一致する一致文字列を、異なる表示形態で表示させるか、又は当該一致文字列に対応する位置に所定の識別子を表示させて、当該指定された見出語に対応する説明情報を表示させることができる。従って、見出語の説明情報についてのさらなる説明情報のうち、外部情報記憶手段に記憶された説明情報を、容易且つ適切に表示させることができる。
【０１２１】
請求項８に記載の発明によれば、予め定められたタイミングで外部情報記憶手段に記憶される見出語をダウンロードすることができる。従って、情報表示制御装置において見出語記憶手段に記憶される見出語に、外部情報記憶手段の更新を反映させることができる。
【０１２２】
請求項９又は１１に記載の発明によれば、第１の情報記憶手段から、指定された見出語に対応する説明情報を検索して表示する際に、当該説明情報に含まれる単語の解説が第１の情報記憶手段に含まれると判別した場合に、該当する単語の解説を第１の情報記憶手段から検索できることを示す表示を行うことができる。さらに、説明情報に含まれる単語の解説が第２の情報記憶手段に含まれると判別した場合に、該当する単語の解説を第２の情報記憶手段から検索できることを示す表示を行うことができる。従って、見出語の説明情報について、第１の情報記憶手段或いは第２の情報記憶手段に記憶されるさらなる解説を容易且つ適切に表示させることができる。
【図面の簡単な説明】
【図１】本発明を適用した携帯型電子辞書の斜視概観図の一例を示す図。
【図２】第１の実施の形態における携帯型電子辞書の機能構成例を示す図。
【図３】ネット辞書ＤＢの蓄積形式の一例を示す図。
【図４】国語辞書ＤＢの蓄積形式の一例を示す図。
【図５】抽出文字列格納領域の一例を示す図。
【図６】選択文字列格納領域の一例を示す図。
【図７】ネット辞書見出語一覧の蓄積形式の一例を示す図。
【図８】ジャンプ先表示付辞書検索処理の実行に係る携帯型電子辞書の動作フローを示す図。
【図９】第１の実施の形態における画面遷移例を示す図。
【図１０】ジャンプ先表示処理の実行に係る携帯型電子辞書の動作フローを示す図。
【図１１】検索結果表示画面の変形例を示す。
【図１２】ネット辞書見出語取得処理の実行に係る携帯型電子辞書の動作フローを示す図。
【図１３】第２の実施の形態におけるフラッシュＲＯＭの構成（ａ）、及びＲＡＭの構成（ｂ）の一例を示す図。
【図１４】和英辞書ＤＢの蓄積形式の一例を示す図。
【図１５】推奨度表示付辞書検索処理の実行に係る携帯型電子辞書の動作フローを示す図。
【図１６】第２の実施の形態における画面遷移例を示す図。
【図１７】ジャンプ先推奨度表示処理の実行に係る携帯型電子辞書の動作フローを示す図。
【図１８】第２の実施の形態における画面遷移例を示す図。
【符号の説明】
１        携帯型電子辞書
１０    ＣＰＵ
２０    入力部
３０    表示部
４０    通信部
５０    ＲＯＭ
５１  ジャンプ先表示付辞書検索プログラム
５２  ネット辞書見出語取得プログラム
５３  国語辞書ＤＢ
５４  英和辞書ＤＢ
５５  和英辞書ＤＢ
５６  ネット辞書見出語一覧
７０    ＲＡＭ
７２  抽出文字列格納領域
７４  選択文字列格納領域
Ｎ１      ネットワーク
１００    辞書サーバ
１０２  ネット辞書ＤＢ
【図１】
2004213322.tif 000003
【図２】
2004213322.tif 000004
【図３】
2004213322.tif 000005
【図４】
2004213322.tif 000006
【図５】
2004213322.tif 000007
【図６】
2004213322.tif 000008
【図７】
2004213322.tif 000009
【図８】
2004213322.tif 000010
【図９】
2004213322.tif 000011
【図１０】
2004213322.tif 000012
【図１１】
2004213322.tif 000013
【図１２】
2004213322.tif 000014
【図１３】
2004213322.tif 000015
【図１４】
2004213322.tif 000016
【図１５】
2004213322.tif 000017
【図１６】
2004213322.tif 000018
【図１７】
2004213322.tif 000019
【図１８】
2004213322.tif 000020